(57)【要約】【課題】  例えばシリアルＡＴＡ規格に規定されている３．３Ｖ電圧のように、内部にて準備できる電圧であっても外部から供給可能な場合は外部からの電圧供給を受けることができる記録メディア・ドライブを提供する。【解決手段】  ＨＤＤのヘッドの位置決めなどを制御する回路基板は、外部５Ｖ電圧供給部及び外部１２Ｖ電圧供給部４１に接続されるコネクタと、そのコネクタを介して供給される外部電圧５Ｖから３．３Ｖの電圧を生成するレギュレータ３１と、レギュレータ３１からの３．３Ｖ電圧が供給可能な電子部品と、電子部品に３．３Ｖ電圧を供給する電圧供給部を切り替える切替制御回路２１とを有する。切替制御回路２１は、コネクタが外部電圧３．３Ｖを供給する外部３．３Ｖ電圧供給部４１に接続可能に構成されかつ外部３．３Ｖ電圧供給部４１に接続された場合、電子部品に外部電圧３．３Ｖが供給されるよう切り替え制御する。【選択図】  図１
2006099856.tif 000002
【特許請求の範囲】
【請求項１】
記録メディア・ドライブ本体と、
前記記録メディア・ドライブ本体に実装される回路基板とを備え、
前記回路基板は、
外部第１電圧を供給する外部第１電圧供給部に接続されると共に外部第２電圧を供給する外部第２電圧供給部に接続可能に構成されたコネクタと、
前記コネクタを介して供給される前記外部第１電圧から内部第２電圧を生成する内部第２電圧供給部と、
第２電圧により動作する電子部品と、
前記外部第１電圧供給部又は前記内部第１電圧供給部のいずれか一方から前記電子部品に前記第２電圧を供給するよう制御する切替制御回路とを有し、
前記切替制御回路は、前記コネクタが外部第２電圧供給部に接続されたことを検知すると前記電子部品に前記外部第２電圧が供給されるよう切り替え制御する
ことを特徴とする記録メディア・ドライブ。
【請求項２】
前記内部第２電圧供給部は、前記外部第１電圧又は外部第３電圧から前記内部第２電圧を生成する
ことを特徴とする請求項１記載の記録メディア・ドライブ。
【請求項３】
前記外部第１電圧にて動作する他の電子部品を更に有する
ことを特徴とする請求項１記載の記録メディア・ドライブ。
【請求項４】
前記外部第３電圧にて動作する他の電子部品を更に有する
ことを特徴とする請求項２記載の記録メディア・ドライブ。
【請求項５】
記録メディア・ドライブ本体と、
前記記録メディア・ドライブ本体に実装される回路基板とを備え、
前記回路基板は、
外部５Ｖ電圧供給部及び外部１２Ｖ電圧供給部に接続されると共に外部３．３Ｖ電圧供給部に接続可能に構成されたコネクタと、
前記コネクタを介して供給される外部電圧５Ｖ及び外部電圧１２Ｖのいずれか一方から３．３Ｖ電圧を生成する内部３．３Ｖ電圧供給部と、
３．３Ｖ電圧で動作する電子部品と、
前記外部３．３Ｖ電圧供給部又は前記内部３．３Ｖ電圧供給部のいずれか一方から前記電子部品に３．３Ｖ電圧を供給するよう制御する切替制御回路とを有し、
前記切替制御回路は、前記コネクタが前記外部３．３Ｖ電圧供給部に接続されたことを検知すると前記電子部品に前記外部電圧３．３Ｖが供給されるよう切り替え制御する
ことを特徴とする記録メディア・ドライブ。
【請求項６】
前記コネクタを介して前記外部電圧３．３Ｖが供給される第１の電源ラインと、
前記内部３．３Ｖ電圧供給部から前記内部電圧３．３Ｖが供給される第２の電源ラインとを有し、
前記切替制御回路は、前記電子部品と前記第１の電源ラインとを接続する第１のスイッチと、前記電子部品と前記第２の電源ラインとを接続する第２のスイッチと、前記第１及び第２のスイッチのオン・オフを制御する制御回路とを有する
ことを特徴とする請求項５記載の記録メディア・ドライブ。
【請求項７】
前記制御回路は、前記外部電圧３．３Ｖが供給されるか否かを検出する外部電圧検出素子を有し、前記外部電圧検出素子の検出結果に基づき前記第１及び第２のスイッチのオン・オフを制御する
ことを特徴とする請求項６記載の記録メディア・ドライブ。
【請求項８】
前記制御回路は、前記外部電圧３．３Ｖが供給されるか否かによりオン・オフを制御される第１のトランジスタと、前記第１のトランジスタによりオン・オフが制御される第２のトランジスタとを有し、
前記第１のトランジスタ及び第２のトランジスタは、それぞれ前記第２のスイッチ及び前記第１のスイッチを制御する
ことを特徴とする請求項６記載の記録メディア・ドライブ。
【請求項９】
前記第１のスイッチ及び第２のスイッチは、前記第１の電源ラインと前記第２の電源ラインとの間に直列に接続されたそれぞれ第３のトランジスタ及び第４のトランジスタであって、
前記第１のトランジスタは、その制御端子に前記第１の電源ラインが接続され、一端に前記第２及び第４のトランジスタの制御端子が接続され、
前記第２のトランジスタは、一端に前記第１のトランジスタの制御端子が接続され、
前記第３のトランジスタと前記第４のトランジスタとの接続点から前記外部電圧３．３Ｖ又は前記内部電圧３．３Ｖを出力する
ことを特徴とする請求項６記載の記録メディア・ドライブ。
【請求項１０】
前記内部３．３Ｖ電圧供給部は、前記外部電圧５Ｖから前記内部電圧３．３Ｖを生成する
ことを特徴とする請求項５記載の記録メディア・ドライブ。
【請求項１１】
前記コネクタは、シリアルＡＴＡインターフェースに準拠したコネクタである
ことを特徴とする請求項５記載の記録メディア・ドライブ。
【請求項１２】
記録メディア・ドライブ本体と、
前記記録メディア・ドライブ本体に実装される回路基板とを備え、
前記回路基板は、
外部５Ｖ電圧供給部及び外部１２Ｖ電圧供給部に接続されると共に外部３．３Ｖ電圧供給部に接続可能に構成されたコネクタと、
前記コネクタを介して供給される外部電圧５Ｖ及び外部電圧１２Ｖのいずれか一方から３．３Ｖ電圧を生成する内部３．３Ｖ電圧供給部と、
３．３Ｖ電圧で動作する電子部品と、
前記コネクタを介して前記外部３．３Ｖ電圧供給部に接続される第１の電源ラインと、
前記内部３．３Ｖ電圧供給部に接続される第２の電源ラインと、
前記第１の電源ラインにそのオン・オフを制御する制御端子が接続された第１のスイッチと、
前記第１のスイッチによりオン・オフが制御される第２のスイッチと、
前記電子部品と前記第１の電源ラインとを接続する第３のスイッチと、
前記電子部品と前記第２の電源ラインとを接続する第４のスイッチとを有し、
前記第３のスイッチは、前記第２のスイッチによりそのオン・オフが制御され、
前記第４のスイッチは、前記第１のスイッチによりそのオン・オフが制御される
ことを特徴とする記録メディア・ドライブ。
【発明の詳細な説明】
【技術分野】
【０００１】
本発明は、互いに異なる電圧で動作する電子部品を実装した回路基板を搭載する、ハード・ディスク・ドライブ（以下、ＨＤＤ）その他の電子機器に好適な記録メディア・ドライブに関する。
【背景技術】
【０００２】
情報処理装置の内部又は外部に設けられる記録メディア・ドライブとして、光ディスクや磁気テープなどの様々な記録媒体を使用する装置が知られている。その中で、ＨＤＤは、情報処理装置の記憶装置として広く普及し、現在の情報処理システムにおいて欠かすことができない記憶装置の一つとなっている。更に、ＨＤＤの用途は情報処理装置にとどまらず、動画像記録再生装置、カーナビゲーション・システム、デジタル・カメラ、これらに使用されるリムーバブルメモリなど、益々拡大している。
【０００３】
ＨＤＤで使用される磁気ディスクは、同心円状に形成された複数のトラックを有しており、各トラックは複数のセクタに区分されている。各セクタにはセクタのアドレス情報と、ユーザ・データとが記憶される。ヘッドがセクタのアドレス情報に従って所望のセクタにアクセスすることによって、セクタへのデータ書き込みあるいはセクタからのデータ読み出しを行うことができる。データ読み出し処理において、ヘッドが磁気ディスクから読み出した信号は、ＨＤＤの回路基板上の信号処理回路によって波形整形及び復号処理などの所定の信号処理が施され、ホストに送信される。ホストからの転送データは、信号処理回路によって同様に所定処理された後、磁気ディスクに書き込まれる。
【０００４】
上記回路基板は、ＨＤＤを備えるデスクトップ型又はノート型のパーソナルコンピュータ（ＰＣ）などの上位装置（以下、ホストという。）から電源電圧の供給を受ける。ホストは、消費電力低減、不要電磁輻射の低減等の目的のために、その動作電圧がこれまで主流の５Ｖから、３Ｖ〜３．３Ｖ程度の低い動作電圧へ移行している。このため、最近のＰＣ等の情報処理装置では、３．３Ｖの電圧供給部を有しているものが多い。
【０００５】
一方で、ＨＤＤの回路基板においても３．３Ｖ電圧で動作する論理回路等の電子部品を有している。しかし、旧来のホスト及びこのホストから電源の供給を受けるＨＤＤは、５Ｖ及び１２Ｖの電圧供給用の電源ピンしか有しておらず、ＨＤＤは、ホストから３．３Ｖ電源の供給を受けられなかった。そこで、従来のＨＤＤの回路基板には、ホストから供給される５Ｖ又は１２Ｖを使用しながら、回路基板に搭載される３．３Ｖ電圧に対応する電子部品を動作させるため、例えば、回路基板に５Ｖ電圧を３．３Ｖ電圧に変換する副電源部が設けられている（特許文献１参照）。
【０００６】
特許文献１に記載の技術においては、回路基板上に副電源部としてＤＣ−ＤＣコンバータと保護手段としてのヒューズとを有する。そして、電源コネクタを介して供給された５Ｖ電源は、上記ＤＣ−ＤＣコンバータによって３．３Ｖに変換され、この電力を３．３Ｖにて動作する電子部品に供給する。
【０００７】
ところで、ＨＤＤと、ホストとの間のデータ伝送のために設けられるインターフェースには、ＳＣＳＩ（Small Computer System Interface）インターフェースやＡＴＡ（AT Attachment）インターフェースなどが一般に使用されている。特に、ＡＴＡインターフェースは、インターフェース機能の向上と低コストの点から、多くのコンピュータにおいて利用され、また、光ディスク記憶装置などの他のタイプに記憶装置のインターフェースとしても広く利用されている。
【０００８】
近時、記録媒体の記録密度の向上及びパフォーマンス向上への要求から、ＡＴＡインターフェースのデータ伝送速度に対する要求は益々厳しいものになっている。このため、従来のパラレル伝送による伝送方式に代えて、シリアル伝送によるＡＴＡインターフェース（シリアルＡＴＡ）が提案されている。
【０００９】
シリアルＡＴＡの規格は、"Serial ATA Working Group"によって策定が進められている。シリアルＡＴＡは、従来のパラレルＡＴＡに比べて、転送速度が高速で、また、コネクタやケーブルの小型化が可能なため、システム全体の熱設計も改善される。
【００１０】
現在、複数のベンダからシリアルＡＴＡ規格に準拠したマザーボードが供給されはじめ、複数のメーカからＳＡＴＡ規格に準拠したＨＤＤが供給されはじめており、市場にはパラレルＡＴＡとシリアルＡＴＡとが混在する状況になっている。既にリリースされている"Serial ATA II：Extensions to Serial ATA 1.0 Specification"においては、従来のパラレルＡＴＡにはない、いくつかの技術が採用されている。
【００１１】
例えば、パラレルＡＴＡでは５Ｖ及び１２Ｖの使用が許可されているのみであったが、シリアルＡＴＡにおいては、５Ｖ及び１２Ｖに加え、３．３Ｖの使用が許可される。したがって、シリアルＳＡＴＡには、３．３Ｖ電圧を供給するための接続ピンが設けられている。したがってシリアルＡＴＡ規格に準拠したＨＤＤのコネクタには、３．３Ｖ電圧の供給を受けるための接続ピンが用意されている。
【特許文献１】特開平７−２５３８３１号公報
【発明の開示】
【発明が解決しようとする課題】
【００１２】
しかしながら、パラレルＡＴＡにおいては、この３．３Ｖ電圧の使用が規格として定められていなかったため、パラレルＡＴＡ規格のＨＤＤに対応しているホストにおいては、シリアルＡＴＡのＨＤＤに対して３．３Ｖ電圧を供給することができない。したがって、ホストがシリアルＡＴＡに対応しているか否かを予測できないため、シリアルＡＴＡのＨＤＤであっても、３．３Ｖ電源をホストから供給せず、又はホストから供給できず、上述の特許文献１の如く、回路基板に設けられたＤＣ−ＤＣコンバータ等を使用して外部から供給される５Ｖ電源から３．３Ｖ電源を生成するといった方法がとられている。
【００１３】
一方、上述した如く、ホスト側においても、シリアルＡＴＡに準拠し、３．３Ｖ電圧をＨＤＤに対して供給可能に構成されているものが発売され始めている。ＨＤＤ側においては、３．３Ｖ電源をホストから供給できるのであれば、あえて５Ｖ電源から内部で３．３Ｖ電圧に変換する必要はなく、ホストから直接３．３Ｖ電源の供給を可能にしてほしいという使用者からの要望が高まっている。また、ＨＤＤ側の回路基板にて例えば５Ｖから３．３Ｖに電圧を変換する場合には、通常、余った電力を熱として放出させるため、数十台のＨＤＤを一度に使用するような、例えばサーバ等の情報装置においては、その発熱量が無視できないほど大きいものとなり問題となる。
【００１４】
また、ホストがシリアルＡＴＡに対応しているか、パラレルＡＴＡに対応しているかをＨＤＤ提供者側において予め予定することは困難である。したがって、いずれにも対応できるＨＤＤを提供するためには、例えばホストがシリアルＡＴＡに対応している場合は３．３Ｖ電圧をそのまま受け取り、シリアルＡＴＡに対応していない場合はＨＤＤの回路基板が５Ｖ電源から３．３Ｖ電源を生成するような設定変更を手動でするなどの必要が生じ、作業が煩雑であるなどの問題点が多い。
【００１５】
本発明は、このような問題点を解決するためになされたものであり、その目的は、内部にて準備できる電圧であっても外部から供給可能な場合は外部からの電圧供給を受けることができる記録メディア・ドライブを提供することにある。また、本発明の他の目的は、例えばシリアルＡＴＡ規格に規定されている３．３Ｖ電圧を、ホスト側がシリアルＡＴＡ規格に準拠しているか否かに煩わせることなく使用可能にすることができる記録メディア・ドライブを提供することにある。更に本発明の他の目的は、記録メディア・ドライブの消費電力を低減することにある。
【課題を解決するための手段】
【００１６】
上述した目的を達成するために、本発明にかかる記録メディア・ドライブは、記録メディア・ドライブ本体と、前記記録メディア・ドライブ本体に実装される回路基板とを備え、前記回路基板は、外部第１電圧を供給する外部第１電圧供給部に接続されると共に外部第２電圧を供給する外部第２電圧供給部に接続可能に構成されたコネクタと、前記コネクタを介して供給される前記外部第１電圧から内部第２電圧を生成する内部第２電圧供給部と、第２電圧により動作する電子部品と、前記外部第１電圧供給部又は前記内部第１電圧供給部のいずれか一方から前記電子部品に前記第２電圧を供給するよう制御する切替制御回路とを有し、前記切替制御回路は、前記コネクタが外部第２電圧供給部に接続されたことを検知すると前記電子部品に前記外部第２電圧が供給されるよう切り替え制御することを特徴とする。
【００１７】
本発明においては、第２電圧を外部第１電圧から内部で生成する場合と、外部から供給させる場合とを切替制御する機能を備え、外部第２電圧が供給可能なことを検知した場合は、外部の第２電圧を選択するよういしたので、内部で第２電圧を生成する処理を行わずに第２電圧を得ることができる。
【００１８】
また、前記内部第２電圧供給部は、前記外部第１電圧又は外部第３電圧から前記内部第２電圧を生成するようにしてもよく、複数種類の大きさの電圧が供給されるような場合、少なくともいずれか１つの外部電圧から第２電圧を生成することができる。
【００１９】
更に、前記外部第１電圧にて動作する他の電子部品を更に有し、また、前記外部第３電圧にて動作する他の電子部品を更に有してもよい。
【００２０】
本発明にかかる記録メディア・ドライブは、記録メディア・ドライブ本体と、前記記録メディア・ドライブ本体に実装される回路基板とを備え、前記回路基板は、外部５Ｖ電圧供給部及び外部１２Ｖ電圧供給部に接続されると共に外部３．３Ｖ電圧供給部に接続可能に構成されたコネクタと、前記コネクタを介して供給される外部電圧５Ｖ及び外部電圧１２Ｖのいずれか一方から３．３Ｖ電圧を生成する内部３．３Ｖ電圧供給部と、３．３Ｖ電圧で動作する電子部品と、前記外部３．３Ｖ電圧供給部又は前記内部３．３Ｖ電圧供給部のいずれか一方から前記電子部品に３．３Ｖ電圧を供給するよう制御する切替制御回路とを有し、前記切替制御回路は、前記コネクタが前記外部３．３Ｖ電圧供給部に接続されたことを検知すると前記電子部品に前記外部電圧３．３Ｖが供給されるよう切り替え制御する。
【００２１】
本発明においては、通常回路の動作に使用される３．３Ｖ電圧が外部から供給可能か否かを自動的に検知し、外部からの供給可能な場合は外部から３．３Ｖ電圧を供給させることができ、供給不能な場合には、内部３．３Ｖ電圧供給部にて３．３Ｖ電圧を用意するよう３．３Ｖ電圧供給源を切替制御する。これにより、例えばＨＤＤなど、回路基板に３．３Ｖ、５Ｖ及び１２Ｖの３種類の電圧で動作する電子部品を実装する記録メディア・ドライブに対して電源を供給する外部のホスト等が３．３Ｖ電圧を供給可能か否かに拘わらず、３．３Ｖ電圧に対応する電子部品の動作を保証し、外部からの３．３Ｖ電圧を供給させた場合は、内部にて電圧変換する場合に比して極めて低い電力消費量とすることができる。
【００２２】
また、前記コネクタを介して前記外部電圧３．３Ｖが供給される第１の電源ラインと、前記内部３．３Ｖ電圧供給部から前記内部電圧３．３Ｖが供給される第２の電源ラインとを有し、前記切替制御回路は、前記電子部品と前記第１の電源ラインとを接続する第１のスイッチと、前記電子部品と前記第２の電源ラインとを接続する第２のスイッチと、前記第１及び第２のスイッチのオン・オフを制御する制御回路とを有することができる。
【００２３】
更に、前記制御回路は、前記外部電圧３．３Ｖが供給されるか否かを検出する外部電圧検出素子を有し、前記外部電圧検出素子の検出結果に基づき前記第１及び第２のスイッチのオン・オフを制御することができる。
【００２４】
また、前記制御回路は、前記外部電圧３．３Ｖが供給されるか否かによりオン・オフを制御される第１のトランジスタと、前記第１のトランジスタによりオン・オフが制御される第２のトランジスタとを有し、前記第１のトランジスタ及び第２のトランジスタは、それぞれ前記第２のスイッチ及び前記第１のスイッチを制御することができ、第１のトランジスタが外部電圧を検出する検出素子として機能させ、第１のトランジスタのオン・オフに応じて第２のトランジスタをオン・オフさせ、これら第１及び第２のトランジスタのオン・オフに基づき各スイッチを制御することができる。
【００２５】
この場合、例えば、前記第１のスイッチ及び第２のスイッチは、前記第１の電源ラインと前記第２の電源ラインとの間に直列に接続されたそれぞれ第３のトランジスタ及び第４のトランジスタであって、前記第１のトランジスタは、その制御端子に前記第１の電源ラインが接続され、一端に前記第２及び第４のトランジスタの制御端子が接続され、前記第２のトランジスタは、一端に前記第１のトランジスタの制御端子が接続され、前記第３のトランジスタと前記第４のトランジスタとの接続点から前記外部電圧３．３Ｖ又は前記内部電圧３．３Ｖを出力することができ、切替制御回路は、トランジスタを組み合せて簡単に構成することができる。
【００２６】
更にまた、前記内部３．３Ｖ電圧供給部は、前記外部電圧５Ｖから３．３Ｖの内部電圧を生成することができる。
【００２７】
また、前記コネクタは、シリアルＡＴＡインターフェースに準拠したコネクタとすることができる。
【００２８】
本発明にかかる記録メディア・ドライブは、記録メディア・ドライブ本体と、前記記録メディア・ドライブ本体に実装される回路基板とを備え、前記回路基板は、外部５Ｖ電圧供給部及び外部１２Ｖ電圧供給部に接続されると共に外部３．３Ｖ電圧供給部に接続可能に構成されたコネクタと、前記コネクタを介して供給される外部電圧５Ｖ及び外部電圧１２Ｖのいずれか一方から３．３Ｖ電圧を生成する内部３．３Ｖ電圧供給部と、３．３Ｖ電圧で動作する電子部品と、前記コネクタを介して前記外部３．３Ｖ電圧供給部に接続される第１の電源ラインと、前記内部３．３Ｖ電圧供給部に接続される第２の電源ラインと、前記第１の電源ラインにそのオン・オフを制御する制御端子が接続された第１のスイッチと、前記第１のスイッチによりオン・オフが制御される第２のスイッチと、前記電子部品と前記第１の電源ラインとを接続する第３のスイッチと、前記電子部品と前記第２の電源ラインとを接続する第４のスイッチとを有し、前記第３のスイッチは、前記第２のスイッチによりそのオン・オフが制御され、前記第４のスイッチは、前記第１のスイッチによりそのオン・オフが制御されることを特徴とする。
【００２９】
本発明においては、第１乃至第４のスイッチという簡便な構成により、外部電圧５Ｖ又は１２Ｖから３．３Ｖ電圧を生成するか、外部から３．３Ｖ電圧を供給させるかを自動的に検知し、切替制御することができる。
【発明の効果】
【００３０】
本発明にかかる記録メディア・ドライブによれば、内部にて準備できる電圧であっても外部から供給可能な場合は外部からの電圧供給を受けることができる。また、例えばシリアルＡＴＡ規格に規定されている３．３Ｖ電圧を、ホスト側がシリアルＡＴＡ規格に準拠しているか否かに拘わらず供給可能にすることができ、その場合は回路基板上にて電圧変換する必要がなく、発熱量を押え、消費電力を低減することができる。
【発明を実施するための最良の形態】
【００３１】
以下、本発明を適用した具体的な実施の形態について、図面を参照しながら詳細に説明する。この実施の形態は、本発明を、シリアルＡＴＡ規格に準拠したハード・ディスク・ドライブに適用したものである。
【００３２】
上述の如く、パラレルＡＴＡにおいては電源として５Ｖ及び１２Ｖのみが規定されている。ＨＤＤに実装される回路基板には、ホストからの電源供給を受け、またホストとの間にて信号の送受信を行うために、ホストと接続されるコネクタが実装される。パラレルＡＴＡのＨＤＤにおいては、上記コネクタには５Ｖ及び１２Ｖ電圧の電源供給を受けるための電源ピンしか用意されていない。しかし、回路基板には、５Ｖ及び１２Ｖのみならず、３．３Ｖ電圧で動作する電子部品も実装される。そこで、３．３Ｖ電圧に対応する電子部品に対しては、ホストから供給を受けた５Ｖ又は１２Ｖ電圧を自己の電圧変換器などにより３．３Ｖ電圧に変換し、変換後の３．３電圧を供給するよう構成されている。
【００３３】
一方、シリアルＡＴＡにおいては、５Ｖ及び１２Ｖ電圧のみならず、３．３Ｖ電圧の供給が許可されている。このため、シリアルＡＴＡ規格に準拠したコネクタには、３．３Ｖ電圧の電源ピンが設けられている。ただし、ＨＤＤに対して電源を供給するホストは、現行ではパラレルＡＴＡに対応したものが多く、ホストの電源供給部からは５Ｖ及び１２Ｖの電源ラインしか引き出されていないものが多い。すなわち、ホスト側の電源は、ＨＤＤの電源供給部に対して３．３Ｖ用の電源ラインが配線されておらず、ＨＤＤに対し３．３Ｖ電源を供給する機能を備えていないホストが多い。
【００３４】
したがって、そのようなホストに対してシリアルＡＴＡに準拠したＨＤＤを接続しても、ＨＤＤは、ホストから３．３Ｖ電源の供給を受けることができない。このように、ＨＤＤは、シリアルＡＴＡに準拠し、３．３Ｖ電圧の供給を受け得るよう構成されている場合であっても、３．３Ｖ電圧がホストから供給されない場合があり、そのような場合においても、３．３Ｖ電圧に対応した電子部品を確実に動作させることができるように、一般的には、パラレルＡＴＡと同様にＨＤＤ内部に電圧変換器を用意し、従来どおり、５Ｖ電圧を変換して３．３Ｖ電圧を得るようになされている。
【００３５】
一方で、ＨＤＤに対して３．３Ｖ電圧を供給可能なホストがある。例えば、ケーブル等を使用せず、ホストの基板に、直接シリアルＡＴＡインターフェースのコネクタを接続可能に構成されたいわゆるプラグインタイプのコネクタを装備することで、比較的容易にＨＤＤに対して３．３Ｖ電源を供給することが可能である。しかしながら、現状ではＨＤＤに対する３．３Ｖ電圧の供給が不可能なホストも多く、ＨＤＤは、ホストからの３．３Ｖ電圧の供給を受けずとも確実に３．３Ｖ電圧対応の電子部品を動作させるべく、その回路基板には、５Ｖ電圧を３．３Ｖに変換する電圧変換器を具備せざるをえない状況にある。
【００３６】
これに対し、本実施の形態におけるＨＤＤにおいては、その回路基板に、外部から３．３Ｖ電圧が供給される場合とされない場合とを自動的に検知し、検知結果に基づき３．３Ｖ電圧で動作する電子部品に対する電圧供給源を切り替える切替制御回路を設ける。すなわち、外部から３．３Ｖ電源が供給されない場合においては、３．３Ｖ電圧の供給が必要な電子部品に対して、レギュレータ等の内部３．３Ｖ電圧供給部から電源を供給する。一方、外部から３．３Ｖ電源が供給可能である場合には、これを自動的に検知し、外部からの３．３Ｖ電源を使用し、当該電子部品に供給する。これにより、外部から３．３Ｖ電圧が供給される場合に、あえて５Ｖ又は１２Ｖ電圧を電圧変換して３．３Ｖ電圧とする必要がなく、後述するように消費電力を飛躍的に低減することができる。また、降圧する必要がないため、発熱の問題も低減することができる。更に、ＨＤＤに、外部の３．３Ｖを自動的に検知する切替制御回路を設けることで、使用者はホストが３．３Ｖ電源を供給できるか否かを意識することなく、ＨＤＤを使用することができ便利である。
【００３７】
まず、本実施の形態にかかる記録メディア・ドライブの一例について説明しておく。図１は、本実施の形態に係る記録メディア・ドライブの一例であるＨＤＤの概略構成を示す分解斜視図である。ＨＤＤ１は、ＨＤＤ本体１１とＨＤＤ本体１１に実装される回路基板１５とを備えている。ＨＤＤ本体１１は、ベース１１１とトップカバー１１２とから構成されるエンクロージャ内に、各構成部品を収容している。ベース１１１は、ＨＤＤ１１の各構成部品を収容し、ベース１１１の上部開口を塞ぐトップカバー１１２とガスケット（不図示）とを介して固定されることによって、ＨＤＤ本体１１の各構成部品を密閉状態で収容することができる。
【００３８】
回路基板１５上には、シリアルＡＴＡインターフェースに準拠したシリアルＡＴＡコネクタ１６が実装されている。シリアルＡＴＡコネクタ１６は、回路基板１５の一辺側に配置され、回路基板１５に固定されている。回路基板１５の一辺において凹部が形成され、その凹部にシリアルＡＴＡコネクタ１６を嵌め合わせるようにして、回路基板１５にシリアルＡＴＡコネクタ１６が固定されおり、シリアルＡＴＡコネクタ１６の一辺が回路基板１５の一辺に沿い、これらが実質的に揃った位置にある。
【００３９】
また、回路基板１５上にはＨＤＤ１１本体の制御及びホストとＨＤＤ１１との間のデータ通信の制御を行う各種ＩＣなどの回路要素が実装される。例えば、ＨＤＣ（Hard Disk Controller）／ＭＰＵ、リード／ライトチャネル、モータ・ドライバなどの各種ＩＣが、回路基板１５のＨＤＤ本体１１側表面に実装されるが、図１において回路基板１５上の回路要素は省略されている。
【００４０】
図２は、ＨＤＤ本体１１の内部構成の概略を示す平面図である。図２において、１１３は、磁性層が磁化されることによってデータを記録する不揮発性の記録媒体である磁気ディスクである。磁気ディスク１１３はスピンドル・モータ１１４に固定され、スピンドル・モータ１１４は磁気ディスク１１３を所定速度で回転する。１１５は、ホスト（不図示）との間で入出力されるデータについて、磁気ディスク１１３への書き込み及び／または読み出しを行うヘッドである。ヘッド１１５は、磁気ディスク１１３への記憶データに応じて電気信号を磁界に変換する記録素子及び／または磁気ディスク１１３からの磁界を電気信号に変換する再生素子を有している。さらに、ヘッド１１５は、記録素子及び／または再生素子がその面上に形成されているスライダを有している。
【００４１】
ヘッド１１５は、アクチュエータ１１６に保持されている。アクチュエータ１１６は、回動軸１１７に回動自在に保持されており、キャリッジ１１８とＶＣＭ（ボイス・コイル・モータ）１１９とを備えている。尚、図２においては、ＶＣＭ１１９の一部が便宜上切り欠いて図示され、外形が破線で示されている。ＶＣＭ１１９は、回路基板１５上の回路からフラットコイル１２０に流される駆動信号に応じて、回動軸１１７を中心としてキャリッジ１１８を回動し、回転する磁気ディスク１１３の上にヘッド１１５を移動する。
【００４２】
また、ＶＣＭ１１９は、磁気ディスク１１３の回転が停止するときには、磁気ディスク１１３の外側へヘッド１１５移動する。磁気ディスク１１３の回転が停止するときには、アクチュエータ１１６はヘッド１１５を磁気ディスク１１３上からランプ機構１２１に退避させる。この他、ヘッド１１５がデータ書き込み／読み出し処理を行わない場合に、磁気ディスク１１３の内周に配置されているゾーンに退避するＣＳＳ（Contact Start and Stop）方式が知られている。尚、図１において明示されていないが、ＨＤＤ本体１１は、積層配置された複数の磁気ディスクを備え、典型的には、磁気ディスク両面にデータが記憶される。また、それぞれが各磁気ディスクの各記録面に対応する複数のヘッドがアクチュエータ１１６に保持されている。
【００４３】
次に、回路基板１５に実装されたシリアルＡＴＡコネクタ１６について説明する。図３は、回路基板１５におけるホストとの接続部を示す斜視図であって、ベース１１１の反対側から見た図であり、図４は、回路基板１５がＨＤＤ本体１１に実装された状態を示す斜視図である。
【００４４】
図３に示すように、シリアルＡＴＡコネクタ１６は、ホストとの信号をやり取りするための信号部（signal segment）１６ａと、ホストからの電源を供給する電源部（power segment）１６ｂとを有している。上述したように、シリアルＡＴＡコネクタ１６の電源部１６ｂは、３．３Ｖ、５Ｖ、及び１２Ｖの３種類の電源がホスト等の外部から回路基板１５に供給可能なよう、各電源電圧に対応する電源ピンを有している。
【００４５】
そして、図４に示すホスト側の雌コネクタ２０１がシリアルＡＴＡインターフェースに準拠したコネクタとなっている場合は、雌コネクタ２０１においても、信号のやり取りをする信号部２０１ａと、電源を供給する電源部２０１ｂとを有し、それぞれシリアルＡＴＡコネクタ１６の信号部１６ａ、電源部１６ｂと接続される。そして、シリアルＡＴＡコネクタ１６に接続される雌コネクタ２０１の電源部２０１ｂは、３．３Ｖ、５Ｖ、及び１２Ｖの３種類の電源を供給可能な電源ピンを有している。このようにシリアルＡＴＡインターフェースに準拠した雌コネクタ２０１であれば、シリアルＡＴＡコネクタ１６と接続することで、回路基板１５に対し、ホストから３．３Ｖ、５Ｖ、及び１２Ｖの３種類の電源電圧を供給することができる。
【００４６】
図５は、回路基板１５を示す回路図である。回路基板１５には、モータ・ドライバ・ユニット１２２と、図示しないアーム電子回路（アームエレクトロニクス：ＡＥ）との間及び外部ホスト２００との間で信号のやりとりをする信号を処理する信号処理回路１２１とを有している。信号処理回路１２１は、リード・ライト・チャネル（Ｒ／Ｗチャネル）１２３、ハード・ディスク・コントローラ（ＨＤＣ）／ＭＰＵ集積回路（以下ＨＤＣ／ＭＰＵ）１２４、及びメモリの一例としてのＲＡＭ１２５とを備え、Ｒ／Ｗチャネル１２３、ＨＤＣ／ＭＰＵ１２４は、ＲＡＭ１２５と共に１つのパッケージで構成される。
【００４７】
外部ホスト２００からの書き込みデータは、ＨＤＣ／ＭＰＵ１２４によって受信され、Ｒ／Ｗチャネル１２３を介して、ヘッド１１５へ送られ磁気ディスク１１３に書き込まれる。また、磁気ディスク１１３に記憶されているデータは、ヘッド１１５によって読み出され、読み出しデータは、Ｒ／Ｗチャネル１２３を介して、ＨＤＣ／ＭＰＵ１２４から外部ホスト２００に出力される。
【００４８】
Ｒ／Ｗチャネル１２３は、ホスト２００から取得したデータについて、ライト処理を実行する。ライト処理において、Ｒ／Ｗチャネル１２３はＨＤＣ／ＭＰＵ１２４から供給されたライト・データをコード変調し、さらにコード変調されたライト・データをライト信号（電流）に変換してＡＥに供給する。また、ホスト２００にデータを供給する際にはリード処理を行う。
【００４９】
リード処理において、Ｒ／Ｗチャネル１２３はヘッド１１５からＡＥを介して供給されたリード信号を一定の振幅となるように増幅し、取得したリード信号からデータを抽出し、デコード処理を行う。読み出されるデータは、ユーザ・データとサーボ・データを含む。デコード処理されたリード・データは、ＨＤＣ／ＭＰＵ１２４に供給される。
【００５０】
ＨＤＣ／ＭＰＵ１２４は、ＲＡＭ１２５にロードされたマイクロ・コードに従って動作し、バースト・データから位置誤差信号を生成してヘッド１１５のポジショニング制御を行ったり、インターフェース制御及びディフェクト管理などを行ったりするＨＤＤ１１の全体の制御のほか、データ処理に関する必要な処理を実行する。ＨＤＤ１１の起動に伴い、ＲＡＭ１２５には、ＭＰＵ上で動作するマイクロ・コードの他、制御及びデータ処理に必要とされるデータが磁気ディスク１１１あるいはＲＯＭ（不図示）からロードされる。
【００５１】
また、ＨＤＣ／ＭＰＵ１２４は、ホストとの間のインターフェース機能を備えており、ホスト２００から伝送されたユーザ・データ及びリード・コマンドやライト・コマンドといったコマンドなどを受信する。受信したユーザ・データは、Ｒ／Ｗチャネル１２３に転送される。また、Ｒ／Ｗチャネル１２３から取得した磁気ディスク１１３からの読み出しデータをホスト２００に伝送する。ＨＤＣ／ＭＰＵ１２４は、さらに、ホストから取得した、あるいは、磁気ディスク１１１から読み出したユーザ・データについて、誤り訂正（ＥＣＣ）のための処理を実行する。Ｒ／Ｗチャネル１２３によって読み出されるデータは、ユーザ・データの他に、サーボ・データを含んでいる。ＨＤＣ／ＭＰＵ１２４は、サーボ・データを使用してヘッド１１５の位置決め制御、データのリード／ライト処理の制御を行う。また、ＨＤＣ／ＭＰＵ１２４からの制御データはモータ・ドライバ１２２に出力される。モータ・ドライバ・ユニット１２２は制御信号に応じてＶＣＭ、ＳＰＭを制御する。
【００５２】
この回路基板１５は、上記３種の電源電圧、すなわち、３．３Ｖ、５Ｖ、及び１２Ｖの直流電圧を必要とし、各電子部品に応じた電圧が供給されることで動作する。例えばモータ・ドライバ１２２の出力段は１２Ｖで駆動し、モータ・ドライバ１２２の入力段は５Ｖで駆動し、Ｒ／Ｗチャネル１２３、ＨＤＣ／ＭＰＵ１２４、ＲＡＭ１２５を有する信号処理回路１２１は、３．３Ｖで動作する。
【００５３】
ところで、ホスト２００は、従来パラレルＡＴＡに準拠したＨＤＤに接続するよう構成されていると、その雌コネクタにおいても、３．３Ｖ電源供給用の電源ピンが用意されていない。よって、パラレル−シリアル変換用のコネクタを接続しても、３．３Ｖ電源供給ラインと接続されず、上記シリアルＡＴＡコネクタ１６に対して３．３Ｖ電源を供給することができない。そこで、回路基板１５には、このような場合においても３．３Ｖ電源を確保することができるよう、例えば５Ｖ電源から３．３Ｖ電圧を生成する内部３．３Ｖ電圧供給部が設けられている。この３．３Ｖ電圧供給部として、本実施の形態においては、５Ｖ電圧を３．３Ｖ電圧に変換するレギュレータ３２を設けるものとするが、内部３．３Ｖ電圧供給部は、レギュレータに限らず、例えばＤＣ−ＤＣコンバータ等であってもよく、また外部電圧１２Ｖから３．３Ｖの内部電圧を生成するものとしてもよい。
【００５４】
そして、本実施の形態における回路基板１５は、外部から３．３Ｖ電圧が供給される場合は、この外部３．３電圧を信号処理回路１２１に供給し、外部から３．３Ｖ電圧が供給されない場合は、レギュレータ３１にてホスト２００から供給される５Ｖ電圧を３．３Ｖ電圧に変換して信号処理回路１２１に供給する。このため、回路基板１５は、ホスト２００からの３．３Ｖ電圧が供給可能か否かを自動的に検知し、この検知した結果に基づき外部３．３Ｖ電圧を信号処理回路１２１に供給するか、レギュレータ３１からの３．３Ｖ電圧を信号処理回路に供給するかを切り替え制御する切替制御回路２１を有している。切替制御回路２１は、外部から３．３Ｖ電圧が供給できることを検知した場合、信号処理回路１２１に接続される電源ラインを外部３．３Ｖ電圧が供給される電源ライン（不図示）に切り替える。
【００５５】
なお、パラレルＡＴＡインターフェースに準拠したコネクタが実装される従来のＨＤＤ等においても、回路基板１５に搭載されるＲ／Ｗチャネル、ＭＰＵ等の論理回路で構成される情報処理回路は３．３Ｖ電圧によって動作する電子部品が設けられているため、パラレルＡＴＡインターフェースに準拠したコネクタを実装する従来の回路基板１５には、必ず内部３．３Ｖ電圧供給部が設けられ、ホストから供給される５Ｖ又は１２Ｖ電圧から３．３Ｖの電圧を生成している。
【００５６】
以上、説明したように、ホスト２００がシリアルＡＴＡに対応しているか否かによって、回路基板１５がシリアルＡＴＡコネクタ１６を使用している場合であっても、外部から３．３Ｖ電源が供給される場合とされない場合がある。これらのいずれの場合においても回路基板１５を正常に動作させるための、本実施の形態における回路基板の切替制御回路について更に詳細に説明する。本実施の形態における回路基板１５は、切替制御回路２１により回路基板１５における３．３Ｖ電圧に対応した電子部品の動作を保証するのみならず、外部から３．３Ｖ電圧が与えられる場合にはそれを有効に活用することで、低消費電力化及び発熱量の低減を可能とする。図６は、本実施の形態にかかるＨＤＤの回路基板に搭載される切替制御回路を示すブロック図である。
【００５７】
上述したように、図４に示す回路基板１５には、上述のシリアルＡＴＡコネクタ１６が実装され、このシリアルＡＴＡコネクタ１６は、ホスト側の外部電圧５Ｖを供給する外部５Ｖ電圧供給部及び外部電圧１２Ｖを供給する外部１２Ｖ電圧供給部に接続される雌コネクタ２０１と接続される。そして、回路基板１５は、図６に示すように、シリアルＡＴＡコネクタを介して供給される外部電圧５Ｖから３．３Ｖの内部電圧を生成するレギュレータ３１を有する。
【００５８】
そして、回路基板は、レギュレータ３１からの内部電圧３．３Ｖが供給可能な上述した情報処理回路（以下、電子部品という。）と、この電子部品の電圧供給部を切り替える切替制御回路２１とを有する。この切替制御回路２１は、回路基板に実装されるコネクタが、シリアルＡＴＡコネクタの如く、外部電圧３．３Ｖを供給する外部３．３Ｖ電圧供給部４１に接続可能に構成されている場合であってかつ外部電圧３．３Ｖを供給する外部３．３Ｖ電圧供給部４１に接続された場合、すなわちホストがシリアルＡＴＡに対応しているような場合、外部電圧３．３Ｖが供給可能なことを検知する。そして、回路基板上の電子部品に外部電圧３．３Ｖが供給されるよう、電子部品に接続される電源ラインを切り替え制御するものである。
【００５９】
切替制御回路２１は、具体的には、図６に示すように、シリアルＡＴＡコネクタを介して外部電圧３．３Ｖが供給される第１の電源ラインＶＤＤ１と、レギュレータ３１から内部電圧３．３Ｖが供給される第２の電源ラインＶＤＤ２とに接続される。そして、切替制御回路２１は、電子部品と第１の電源ラインＶＤＤ１とを接続する第１のスイッチＳＷ１と、電子部品と第２の電源ラインＶＤＤ２とを接続する第２のスイッチＳＷ２と、第１のスイッチＳＷ１及び第２のスイッチＳＷ２のオン・オフを制御する制御回路２２とを有する。
【００６０】
この制御回路２２は、外部３．３Ｖ電圧供給部４１との接続を検知し、その場合は、スイッチＳＷ１をオン、スイッチＳＷ２をオフとする。これにより、外部３．３Ｖ電圧供給部４１と電子部品が第１の電源ラインＶＤＤ１を介して接続され、外部３．３Ｖ電圧供給部４１から３．３Ｖの電圧が電子部品に直接供給される。
【００６１】
一方、外部３．３Ｖ電圧供給部４１との接続が検出されない場合は、スイッチＳＷ１をオフ、スイッチＳＷ２をオンとする。これにより、レギュレータ３１と電子部品が第２の電源ラインＶＤＤ２を介して接続され、レギュレータ３１から３．３Ｖの電圧が供給される。このように、本回路基板１５は、外部３．３Ｖ電圧供給部４１との接続如何にかかわらず、電子部品に３．３Ｖを供給できると共に、外部３．３Ｖ電圧供給部４１との接続を検知した場合はこれを有効に使用すべく、スイッチＳＷ１をオンする。これにより、外部３．３Ｖ電圧供給部４１から３．３Ｖが直接供給されることで、レギュレータ３１による電圧変換を不要とし、その際の発熱をなくすことができると共に、５Ｖから３．３Ｖの電圧を生成するような無駄を省くことで消費電力を低減することができる。
【００６２】
図７は、切替制御回路２１を更に詳細に示す回路図である。図７に示すように、切替制御回路２１のスイッチＳＷ１、スイッチＳＷ２は、例えばＮチャンネルＭＯＳ（metal-oxide semiconductor）トランジスタなどであるトランジスタＴｒ３、トランジスタＴｒ４とすることができる。また、制御回路２２は、第１のトランジスタとしての例えばＮチャンネルＭＯＳトランジスタなどであるトランジスタＴｒ１と、第２のトランジスタとしての例えばＮチャンネルＭＯＳトランジスタなどであるトランジスタＴｒ２とを有する。トランジスタＴｒ１は、外部３．３Ｖ電圧供給部４１に接続される電源ラインＶＤＤ１にゲートが接続され、そのオン・オフが制御される。トランジスタＴｒ２は、トランジスタＴｒ１のドレインにそのゲートが接続され、トランジスタＴｒ１のオン・オフによりそのオン・オフが制御される。
【００６３】
スイッチＳＷ１となるトランジスタＴｒ３は、そのゲートがトランジスタＴｒ２のドレインと接続され、トランジスタＴｒ２のオン・オフによりそのオン・オフを制御される。また、スイッチＳＷ２となるトランジスタＴｒ４は、トランジスタＴｒ２のゲートと共にトランジスタＴｒ１のドレインと接続され、トランジスタＴｒ１のオン・オフにより、そのオン・オフを制御される。
【００６４】
すなわち、トランジスタＴｒ１は、ゲートが第１の電源ラインＶＤＤ１に接続され、ソースが接地ＧＮＤに接続され、ドレインがトランジスタＴｒ４のゲートに接続される。トランジスタＴｒ１のゲートとソースとは抵抗Ｒ１を介して接続される。また、トランジスタＴｒ１のドレインが抵抗Ｒ２を介してホスト側の外部１２Ｖ電圧供給部４２と接続される。なお、外部１２Ｖ電圧供給部４２に限らず、例えば外部５Ｖ電圧供給部であってもよい。
【００６５】
トランジスタＴｒ２は、ゲートがトランジスタＴｒ１のドレインに接続され、ソースが接地ＧＮＤに接続され、ドレインはトランジスタＴｒ３のゲートに接続される。また、ドレインは、抵抗Ｒ３を介して外部１２Ｖ電圧供給部４２に接続される。
【００６６】
トランジスタＴｒ３は、ドレインが第１の電源ラインＶＤＤ１に接続され、ソースがトランジスタＴｒ４のドレインと接続される。トランジスタＴｒ４は、そのソースが第２の電源ラインＶＤＤ２に接続される。トランジスタＴｒ３のソースと、トランジスタＴｒ４のドレインとの接点Ｎ１からは、トランジスタＴｒ３のオンにより外部電圧３．３Ｖが出力され、トランジスタＴｒ４のオンにより内部電圧３．３Ｖが出力される。
【００６７】
このように構成された切替制御回路２１の動作について説明する。先ず、外部３．３Ｖ電圧供給部４１から電圧３．３Ｖの供給を受ける場合について説明する。切替制御回路２１が外部３．３Ｖ電圧供給部４１に接続された場合、トランジスタＴｒ１のゲートに第１の電源ラインＶＤＤ１から外部電圧３．３Ｖが印加されオンする。すなわち、トランジスタＴｒ１は、外部電圧３．３Ｖが供給されるとオンし、供給されないとオフすることで、外部電圧３．３Ｖが供給可能か否かを検出する検出素子として機能する。
【００６８】
そして、このトランジスタＴｒ１のソースは接地されているため、トランジスタＴｒ２のドレインにゲートが接続されるトランジスタＴｒ２、Ｔｒ４は、共にオフとなる。一方、ゲートが抵抗Ｒ３を介して第１の電源ラインＶＤＤ１と接続されているトランジスタＴｒ３はオンとなり、これにより、トランジスタＴｒ３のドレインに接続される電源ラインＶＤＤ１の電圧、すなわち外部電圧３．３Ｖが接点Ｎ１に現れる。
【００６９】
一方、切替制御回路２１が外部３．３Ｖ電圧供給部４１と接続されない場合、すなわちホスト側に３．３Ｖ電源を供給する手段がない場合は、トランジスタＴｒ１はオフとなる。また、ゲートが抵抗Ｒ２を介して第１の電源ラインＶＤＤ１と接続されているトランジスタ２は、トランジスタＴｒ１がオフのため、外部電圧１２Ｖが供給されてオンとなり、ドレインが接地レベルとなる。このトランジスタＴｒ２のドレインにゲートが接続されたトランジスタＴｒ３はオフとなる。
【００７０】
また、トランジスタＴｒ２と同じく、ゲートが抵抗Ｒ２を介して第１の電源ラインＶＤＤ１と接続されているトランジスタＴｒ４は、トランジスタＴｒ２と同様にオンされ、ソースに電源ラインＶＤＤ２を介して内部３．３Ｖ電圧が供給され、接点Ｎ１の電位が３．３Ｖとなる。
【００７１】
以上のようにして、外部３．３Ｖ電圧供給部４１から３．３Ｖ電圧が供給される場合は、その外部３．３Ｖ電圧が接点Ｎ１に現れ、外部３．３Ｖ電圧供給部４１から３．３Ｖ電圧が供給されない場合は、内部３．３Ｖ電圧供給部であるレギュレータ３１からの内部３．３Ｖ電圧が接点Ｎ１に現れることとなる。
【００７２】
本実施の形態においては、回路基板１５の制御回路２２が、外部電圧３．３Ｖが供給されるか否かを自動的に検知するため、ＨＤＤ使用者は、使用に際して外部から３．３Ｖ電圧を供給できるか否かを確認する必要がない。
【００７３】
すなわち、シリアルＡＴＡの規格により、そのコネクタには、３．３Ｖ用の電源ラインと接続する接続ピンが設けられている。しかしながら、ホスト側にその供給手段がない場合は、外部から３．３Ｖ電圧を供給できない場合がある。したがって、回路基板１５においては、他の外部電圧から電圧を変換して３．３Ｖ電圧を得なければ３．３Ｖで動作する電子部品を動作させることができない。この場合、ホスト側がシリアルＡＴＡに対応しているか否かに拘わらず回路基板を確実に動作させるために、パラレルＡＴＡと同様、３．３Ｖ電圧を他の外部電圧から電圧変換する方法が最も簡単な方法と考えられる。
【００７４】
しかし、ホストから３．３Ｖ用の電源供給が可能な場合があり、そのような場合には、あえて内部で電圧変換するより、外部から直接３．３Ｖ電圧の供給を受けた方が電力消費を低減することができる。したがって、これらいずれの要望をも満たそうとした場合には、ホスト側がシリアルＡＴＡに対応しているか否かを確認した後にＨＤＤを準備する必要が生じる。この場合、例えば、使用者の要求に応じ、製造段階でのアッセンブリオプションとして上述の第１の電源ラインＶＤＤ１と３．３Ｖ電圧対応の電子部品の電源ラインとを接続するジャンパスイッチを設け、このジャンパスイッチにより外部電圧３．３Ｖを使用可能な専用のＨＤＤを用意することとなる。
【００７５】
上記方法は、ホストによってＨＤＤの回路基板の設定を変更するという追加の作業工程を必要とし、また設定ミスによる誤動作の原因になるなどの新たな問題を生じるおそれがある。また、そのようなＨＤＤを使用者が誤って、３．３Ｖ電圧供給不可のホストに接続した場合には、外部３．３Ｖ電圧が供給されず、したがって３．３Ｖ電圧対応の電子部品に対して３．３Ｖ電圧が供給されず、回路が正常に動作しない等の不具合が生じてしまう。
【００７６】
これに対して、本実施の形態における回路基板１５は、外部からの３．３Ｖ電圧の供給を自動的に検知する機能を有し、外部の３．３Ｖ電圧供給部からの供給が可能に構成され、かつ３．３Ｖ以外の他の電圧から３．３Ｖ電圧に変換する電圧変換器（内部電圧供給部）を具備する。このことにより、外部の３．３Ｖ電圧供給があるか否かを検出し、この検出結果に応じて、内部の３．３Ｖ電圧供給部となる電圧変換器か、ホスト側の３．３Ｖ電圧の供給を受けるかを自動的に選択することができるため、使用者及びＨＤＤの製造段階において、ＨＤＤがホストからの３．３Ｖ電源供給を受けるための特別な設定をする必要がない。
【００７７】
また、そのような電源供給部の自動切換えを制御する切替制御回路２１は、例えば、４つのトランジスタ及び数個の抵抗のみの極めて簡単な構成とすることができ、また、この切替制御回路２１が消費する電力は例えば１ｍＷ未満と極めて低消費電力であり、ＭＯＳトランジスタを搭載する集積回路に好適に適用することができる。
【００７８】
また、直接３．３Ｖ電圧の供給を受けることができた場合、電圧変換を不要とするため、装置全体の発熱量が低減する。例えばサーバとしてＨＤＤを使用する場合、数十台のＨＤＤが同時に稼動する場合があり、このような場合は特に発熱量の削減の効果が大きい。
【００７９】
更に、例えばトランジスタを利用したレギュレータにより外部電圧５Ｖから従来の方法にて内部電圧３．３Ｖを生成する場合と、ホストから直接３．３Ｖ電圧の供給を受ける場合と比較すると、直接３．３Ｖ電圧を受ける場合の方が全体の平均では総電力を１０％程度低減することができる。また、３．３Ｖ電圧で動作する論理回路の動作回数が多くなるリード／ライト動作では、総電力の１５％程度を低減することができる。さらに、通常動作が一時休止するスリープモードでは、総電力の３４％低減程度を低減することができる。
【００８０】
なお、本発明は上述した実施の形態のみに限定されるものではなく、本発明の要旨を逸脱しない範囲において種々の変更が可能であることは勿論である。例えば、本実施の形態においては、磁気メディア・ドライブの一例として、シリアルＡＴＡインターフェースに準拠したコネクタを実装したＨＤＤを例にとって説明したが、他のシリアル通信のＨＤＤであっても、またＨＤＤに限らず、データの再生のみを行う再生専用装置、記憶データを光学的に処理する光学記憶装置など、他の態様の再生装置、記録装置、記録再生装置又は情報処理装置であっても、本発明を適用することができる。すなわち、異なる電圧で動作する複数種の電子部品を搭載する電子機器において、内部にて準備できる電圧であっても外部からの供給が可能に構成され、かつ外部からの供給予測ができないような電子機器に対して、上述の実施の形態と同様の切替制御回路を設けることで、本実施の形態と同様の効果を奏する。
【図面の簡単な説明】
【００８１】
【図１】本発明の実施の形態に係る記録メディア・ドライブの一例であるＨＤＤの概略構成を示す分解斜視図である。
【図２】上記ＨＤＤ本体の内部構成の概略を示す平面図である。
【図３】上記ＨＤＤに設けられる回路基板におけるホストとの接続部を示す図であって、ベースの反対側から見た斜視図である。
【図４】上記回路基板がＨＤＤ本体に実装された状態を示す斜視図である。
【図５】上記回路基板における回路構成の一例を示す図である。
【図６】本発明の実施の形態にかかるＨＤＤの回路基板に搭載される切替制御回路を示すブロック図である。
【図７】上記切替制御回路を更に詳細に示す回路図である。
【符号の説明】
【００８２】
１６  シリアルＡＴＡコネクタ
１６ａ、２０１ａ  信号部
１６ｂ、２０１ｂ  電源部
２１  切替制御回路
３１  レギュレータ
１１１  ベース、１１２  トップカバー
１１３  磁気ディスク、１１４  スピンドル・モータ
１１５  ヘッド、１１６  アクチュエータ
１１７  回動軸、１１８  キャリッジ
１２０  フラットコイル、１２１  ランプ機構
【図１】
2006099856.tif 000003
【図２】
2006099856.tif 000004
【図３】
2006099856.tif 000005
【図４】
2006099856.tif 000006
【図５】
2006099856.tif 000007
【図６】
2006099856.tif 000008
【図７】
2006099856.tif 000009